(57)【要約】【課題】光源及びこれに隣接する導光板の領域の遮光を確実に行うことができるとともに、装置の薄型化を図ることができ、さらに組立作業を容易化することも可能な面状照明装置及び電気光学装置の構造を提供する。【解決手段】本発明の面状照明装置５０、７０は、光源５１と、該光源に対向配置された端面で構成される光入射面５２ａ及び該光入射面に隣接する少なくとも一つの光出射面５２ｓ、５２ｒを備えた導光板５２と、該導光板を直接若しくは間接的に保持する保持枠７０とを有する面状照明装置であって、前記保持枠は前記光源に対して厚み方向の前記光出射面側に隣接した支持部７０ｂを備え、該支持部には金属素材よりなる板状部材７５が固定され、該板状部材には、前記支持部から前記導光板側に突出し、前記導光板に沿って張り出してなる遮光部７５ｂが設けられていることを特徴とする。【選択図】図２
2008234963.tif 000002
【特許請求の範囲】
【請求項１】
光源と、該光源に対向配置された端面で構成される光入射面及び該光入射面に隣接する少なくとも一つの光出射面を備えた導光板と、該導光板を直接若しくは間接的に保持する保持枠とを有する面状照明装置であって、
前記保持枠は前記光源に対し厚み方向から支持する支持部を備え、
該支持部には金属素材よりなる板状部材が固定され、
該板状部材には、前記支持部から前記導光板側に突出し、前記導光板に沿って張り出してなる遮光部が設けられていることを特徴とする面状照明装置。
【請求項２】
前記保持枠は、前記板状部材と前記支持部が一体に固定される態様でインサート成形により形成されてなることを特徴とする請求項１に記載の面状照明装置。
【請求項３】
前記板状部材は、前記支持部に固定された被固定部と前記遮光部との間に屈折部分を有することを特徴とする請求項１又は２に記載の面状照明装置。
【請求項４】
前記板状部材は前記光入射面の幅方向に延長された形状を有し、当該延長方向の全体にわたり前記支持部に固定されていることを特徴とする請求項１乃至３のいずれか一項に記載の面状照明装置。
【請求項５】
前記導光板は、前記光出射面の前記光源側の領域が傾斜面とされ、当該傾斜面により前記光源に向けて厚みが増加する形状を有することを特徴とする請求項１乃至４のいずれか一項に記載の面状照明装置。
【請求項６】
前記板状部材は、前記光源の後部側において前記支持部から前記光源側に突出する突出部をさらに有し、該突出部が前記光源を前記導光板側に付勢することを特徴とする請求項１乃至５のいずれか一項に記載の面状照明装置。
【請求項７】
光源、該光源に対向配置された端面で構成される光入射面及び該光入射面に隣接する少なくとも一つの光出射面を備えた導光板、並びに、該導光板を直接若しくは間接的に保持する保持枠とを有する面状照明装置と、該面状照明装置から照射される照明光を受ける電気光学パネルと、を具備する電気光学装置であって、
前記保持枠は前記光源に対して厚み方向から支持する支持部を備え、
該支持部には金属素材よりなる板状部材が固定され、
該板状部材には、前記支持部から前記導光板側に突出し、前記導光板に沿って張り出してなる遮光部が設けられていることを特徴とする電気光学装置。
【請求項８】
請求項７に記載の電気光学装置と、該電気光学装置を制御する制御手段とを具備することを特徴とする電子機器。
【発明の詳細な説明】
【技術分野】
【０００１】
本発明は面状照明装置、電気光学装置、及び、電子機器に係り、特に、光源と導光板を備えた面状照明装置に好適な構造に関する。
【背景技術】
【０００２】
一般に、表示パネルを構成する液晶表示体においては、液晶パネルを背後から照明する面状照明装置であるバックライトを用いている。このバックライトとしては、たとえば、ＬＥＤ等の光源と、該光源から放出された光を端面である光入射面より導入して表面である光出射面より出射するように構成された導光板とを備えたものが知られている。ここで、光源と導光板の端面とは、導光板から出射される照明光の輝度を高めると共に照明範囲の外側に配置される額縁領域を小さくするために、極力接近した位置に配置され、多くの場合には光源が導光板の端面に密接した状態とされる。
【０００３】
この場合、導光板の端面に隣接する光出射面の光源側にある領域では、光源からの光が直接出射することで輝度の高い目玉状の出射特性を呈するため、当該領域からの出射光を遮光すると共に、当該出射光を導光板の表面の他の領域に分散させることで全体の輝度を高めるようにする場合がある。
【０００４】
上記のように導光板の光源側の表面領域からの出射光を遮光し、或いは遮光すると共に反射される構造としては、白色樹脂等よりなる保持枠の一部を光源側から導光板上へ張り出した遮光部として一体に構成したものがある。
【０００５】
また、導光板１１の光源（ＬＥＤ１５）側に白色で光沢のある絶縁性の反射シート１２を配置し、この反射シート１２を光源上から導光板１２上に張り出させ、反射シート１２に形成した遮光パターン１４でＬＥＤ１５による目玉状の光漏れを防止するように構成してなるバックライトパネル装置が知られている。（たとえば、以下の特許文献１参照）。
【０００６】
さらに、導光板６の端部にＬＥＤ３を対向配置し、ＬＥＤ３及び導光板６の光出射面とは反対側の面のＬＥＤ３側の一部を覆う放熱板５を配置し、当該放熱板５の反対側にＬＥＤ３が実装されてなる配線基板７が配置されるように構成し、上記放熱板５でＬＥＤ３からの光漏れを防止してなる照明装置が知られている（たとえば、以下の特許文献２参照）。
【特許文献１】特開平９−１１５３２３号公報
【特許文献２】特開２００６−２６８０６６号公報
【発明の開示】
【発明が解決しようとする課題】
【０００７】
しかしながら、前述の保持枠に一体の遮光部を設けた照明装置においては、保持枠が射出成形等で形成されることから遮光部分の厚みを十分に低減することができず、その結果、照明装置の薄型化が困難になるという問題点がある。
【０００８】
また、反射シート１２、放熱板５などの遮光部材を保持枠とは別途設ける場合には、部品点数が増大したり組立作業が煩雑になったりするという問題点があるとともに、遮光部材の位置決め精度を高めることが難しいため、遮光部材の位置のばらつきにより照明装置の光照射特性の再現性が悪化するという問題点もある。
【０００９】
そこで、本発明は上記問題点を解決するものであり、その課題は、光源及びこれに隣接する導光板の領域の遮光を確実に行うことができるとともに、装置の薄型化を図ることができ、さらに組立作業を容易化することも可能な面状照明装置及び電気光学装置の構造を実現することにある。
【課題を解決するための手段】
【００１０】
斯かる実情に鑑み、本発明の面状照明装置は、光源と、該光源に対向配置された端面で構成される光入射面及び該光入射面に隣接する少なくとも一つの光出射面を備えた導光板と、該導光板を直接若しくは間接的に保持する保持枠とを有する面状照明装置であって、前記保持枠は前記光源に対して厚み方向から支持する支持部を備え、該支持部には金属素材よりなる板状部材が固定され、該板状部材には、前記支持部から前記導光板側に突出し、前記導光板に沿って張り出してなる遮光部が設けられていることを特徴とする。
【００１１】
この発明によれば、光源に対し厚み方向の光出射面側に隣接した保持枠の支持部に固定された板状部材に、当該支持部から導光板側に突出し、導光板に沿って張り出した遮光部が設けられることにより、光源の厚み方向の光出射面側において連続して配置される上記支持部及び遮光部によって光源及び当該光源に隣接した導光板の光出射面から出射する光を漏らすことなく確実に遮光できる。また、金属素材により遮光部を薄く形成することができるために、遮光部の張り出し範囲の厚み方向の余裕を確保しやすくなるので、照明装置の薄型化を図ることもできる。さらに、保持枠に板状部材が固定されることで、遮光部の導光板に対する位置精度も向上でき、さらに、保持枠の剛性を高めることも可能である。なお、上記遮光部は、導光板の光出射面上に張り出していてもよく、或いは、導光板の光出射面に対向する面（反対側の面）に沿って張り出していてもよい。
【００１２】
本発明において、前記保持枠は、前記板状部材と前記支持部が一体に固定される態様でインサート成形により形成されてなることが好ましい。これによれば、インサート成形により保持枠が板状部材と一体に構成されるので、板状部材の位置精度を確保することができるとともに組立作業を容易に行うことが可能になる。
【００１３】
本発明において、前記板状部材は、前記支持部に固定された被固定部と前記遮光部との間に屈折部分を有することが好ましい。これによれば、被固定部と遮光部との間に屈折部分を有することで、板状部材の剛性を高めることができる。
【００１４】
本発明において、前記板状部材は前記光入射面の幅方向に延長された形状を有し、当該延長方向の全体にわたり前記支持部に固定されていることが好ましい。これによれば、遮光部を光入射面の幅方向全体にわたり形成しても十分に支持することができるとともに、保持枠の幅方向の剛性をさらに高めることができる。
【００１５】
本発明において、前記導光板は、前記光出射面の前記光源側の領域が傾斜面とされ、当該傾斜面により前記光源に向けて厚みが増加する形状を有することが好ましい。これによれば、照明装置の照明範囲内にある導光板の中央部分を薄く形成する一方で、光源側にある導光板の端部分を厚く形成するとともに当該端部分から中央部分へ光を導くことができるため、光源の光放出面が厚く形成されていても効率的に導光板内に光を取り込むことができる。また、この場合に、端部分から中央部分に向かう途中で光が上記傾斜面より出射した場合でも、上記遮光部によって確実に遮光することができるので、光漏れを確実に防止できるとともに、光の利用効率の低下を抑制できる。したがって、光の利用効率を低下させずに照明装置の薄型化を図ることができる。
【００１６】
本発明において、前記板状部材は、前記光源の後部側において前記支持部から前記光源側に突出する突出部をさらに有し、該突出部が前記光源を前記導光板側に付勢することが好ましい。これによれば、板状部材の突出部が光源の後部側において支持部から光源側に突出し、光源を導光板側に付勢することにより、光源の位置決めを行うことができる。また、これによって光源と導光板の位置関係及び導光板と遮光部の位置関係の再現性を確保できるので、照明装置の光照射特性の再現性を向上させることができる。
【００１７】
次に、本発明の電気光学装置は、光源、該光源に対向配置された端面で構成される光入射面及び該光入射面に隣接する少なくとも一つの光出射面を備えた導光板、並びに、該導光板を直接若しくは間接的に保持する保持枠を有する面状照明装置と、該面状照明装置から照射される照明光を受ける電気光学パネルと、を具備する電気光学装置であって、前記保持枠は前記光源に対して厚み方向から支持する支持部を備え、該支持部には金属素材よりなる板状部材が固定され、該板状部材には、前記支持部から前記導光板側に突出し、前記導光板に沿って張り出してなる遮光部が設けられていることを特徴とする。
【００１８】
また、本発明の電子機器は、上記の電気光学装置と、該電気光学装置を制御する制御手段とを具備することを特徴とする。この電子機器としては、電気光学装置を表示手段とし、制御手段を表示制御手段として搭載してなる表示機能付き電子機器が例示される。
【発明を実施するための最良の形態】
【００１９】
次に、添付図面を参照して本発明の実施形態について詳細に説明する。図１は本発明に係る実施形態である電気光学装置２００の組立構造を示す概略斜視図、図２はその分解斜視図、図３は図１に示すIII−III線に沿って切断した断面を示す拡大部分断面図である。この電気光学装置２００は、照明体５０と、この照明体５０と平面的に重ねて配置される電気光学パネル組立体６０と、上記照明体５０及び電気光学パネル組立体６０を直接若しくは間接的に保持する保持枠７０とを備えている。
【００２０】
照明体５０はＬＥＤ等の点状光源である１又は複数の光源５１と、該光源５１に対向する端面で構成される光入射面５２ａ、並びに、表面及び裏面で構成される光出射面５２ｓ、５２ｒを備えた導光板５２と、導光板５２の光出射面５２ｓ、５２ｒ上に配置された光学シート５４（たとえば、光拡散シートや集光シートなど）を有している。本発明においては特に限定されるものではないが、本実施形態では、照明体５０の導光板５２の表裏両面より光が出射され、表裏両側をそれぞれ照明できるように構成されている。
【００２１】
また、電気光学パネル組立体６０は、照明体５０の表面側に配置される第１電気光学パネル６０Ａと、照明体５０の裏面側に配置される第２電気光学パネル６０Ｂとを有している。第１電気光学パネル６０Ａと第２電気光学パネル６０Ｂはフレキシブル配線基板（ＦＰＣ）等よりなる配線基板６０Ｃで接続され、また、第１電気光学パネル６０Ａの基板張り出し部には駆動回路６８が実装されるとともに、外部より電源電位や映像信号等を入力するための別の配線基板６０Ｄが実装されている。本実施形態の場合、配線基板６０Ｄから入力された電源電位や映像信号等に基づいて第１電気光学パネル６０Ａに実装された駆動回路６８で駆動信号が生成され、これらの駆動信号が第１パネル６０Ａを直接駆動するとともに、上記配線基板６０Ｃを介して第２電気光学パネル６０Ｂを駆動するように構成されている。また、上記配線基板６０Ｄ上には上記照明体５０の一部を構成する光源５１が実装されている。なお、本実施形態では電気光学パネル組立体６０に２つのパネルが設けられているが、本発明の電気光学パネルは単一のパネル構造を有するものであってもよい。
【００２２】
図３に示すように、第１電気光学パネル６０Ａ及び第２電気光学パネル６０Ｂはそれぞれガラスやプラスチック等よりなる基板６１Ａ、６１Ｂと基板６２Ａ，６２Ｂとが貼り合わされてなり、その間に図示しない液晶が封入されたものである。一対の基板の外面上にはそれぞれ偏光板６６Ａ，６６Ｂ及び６７Ａ，６７Ｂが貼着等によって配置されている。
【００２３】
保持枠７０はたとえば白色素材で構成され、好ましくは樹脂等により一体成型された部品となっている。保持枠７０は上記照明体５０を保持するとともに照明体５０の表裏両側を開口する照明用開口部７０ａを有し、これによって照明体５０を組み込んだ状態で、表裏両側を照明できるようになっている。また、保持枠７０の光源５１側の外周部には第１電気光学パネル６０Ａと第２電気光学パネル６０Ｂの間に配置された支持部７０ｂを有している。この支持部７０ｂは、光源５１に対して裏面側（光出射面５２ｒ側、或いは、第２電気光学パネル６０Ｂ側）に隣接配置されている。なお、保持枠７０は光源５１に対して支持部７０ｂとは反対側が開放された構造とされている。また、支持部７０ｂには複数の光源５１にそれぞれ対応する凹部を表面側に備えている。そして、保持枠７０は配線基板６０Ｄ上に実装された光源５１が導光板５２の光入射面５２ａに対向配置され、或いは、密接配置される態様で収容可能に構成される。
【００２４】
上記支持部７０ｂの導光板５２とは反対の外縁側には開口部７０ｃが形成され、この開口部７０ｃによって、保持枠７０が裏面側に開口した構造とされている。この開口部７０ｃは裏面側から当該開口部７０ｃを通して光源５１の後部を視認できるように構成されている。
【００２５】
また、支持部７０ｂの開口部７０ｃに臨む外縁にはステンレス鋼やアルミニウム等の金属素材で構成された板状部材７５が固定されている。この板状部材７５は、支持部７０ｂに固定された被固定部７５ａと、この被固定部７５ａから延在し、支持部７０ｂから導光板５２側に突出し、導光板５２の光出射面５２ｒ上に張り出す遮光部７５ｂとを備え、導光板５２の光入射面５２ａに沿った幅方向に延長された形状を備えている。この遮光部７５ｂは、後述するように表面側の先端部分が外縁側（導光板１２とは反対側、すなわち開口部７０ｃ側）に開いた形状とされている。なお、照明体５０と保持枠７０は本発明の上記面状照明装置を構成する。
【００２６】
本実施形態では、図２及び図３に示すように、保持枠７０に保持された照明体５０の表裏両側に遮光性両面接着テープ８０をそれぞれ重ねるようにして接着固定し、これらの表裏両面上に電気光学パネル組立体６０の第１電気光学パネル６０Ａ及び第２電気光学パネル６０Ｂを組み込むようにしている。ここで、遮光性両面接着テープ８０は遮光シートを内包し、その表裏両面に粘着層を備えている。この遮光性両面接着テープ８０は保持枠７０内に照明体５０を保持する機能を有するとともに、第１電気光学パネル６０Ａ及び第２電気光学パネル６０Ｂを固定する機能を有している。そして、このように照明体５０及び電気光学パネル組立体６０を収容した保持枠７０に対してステンレス板等で構成された外枠（ベゼル）９０を表側から装着することによって、図１に示すように一体の両面表示体が構成される。
【００２７】
このような両面表示体では、電気光学パネルである第１電気光学パネル６０Ａと第２電気光学パネル６０Ｂが照明体５０の表裏両側に重ねて配置される必要があるため、組立作業時において各パネルを保持枠７０の表裏にそれぞれ組み込む際には比較的手間がかかる。本実施形態では、配線基板６０Ｄを裏側に折り返した状態で光源５１を保持枠７０の支持部７０ｂ上に配置した状態で、第１電気光学パネル６０Ａを保持枠７０の表面側に装着するとともに、配線基板６０Ｃを介して第２電気光学パネル６０Ｂを保持枠７０の裏側に回して保持枠７０の裏面側に装着する必要がある。
【００２８】
図４は、本実施形態の照明体５０を組み込み済みの保持枠７０、この保持枠７０内に組み込まれた導光板５２の右側面図、及び、これに組み込まれる前の第１電気光学パネル６０Ａを表面側から見た様子を示す概略平面図である。第１電気光学パネル６０Ａの外周部には遮光層６５Ａで構成された遮光領域が矩形枠状に構成され、この遮光層６５Ａで構成される遮光領域の内側が駆動領域（表示領域）６０Ｘとなっている。
【００２９】
図５は、本実施形態の照明体５０を組み込み済みの保持枠７０、この保持枠７０内に組み込まれた導光板５２の右側面図、及び、保持枠７０に組み込まれる前の第２電気光学パネル６０Ｂを裏面側から見た様子を示す概略平面図である。第２電気光学パネル６０Ｂにおいてもその外周部には遮光層６５Ｂで構成された遮光領域が矩形枠状に構成され、この遮光層６５Ｂで構成される遮光領域の内側が駆動領域（表示領域）６０Ｙとなっている。
【００３０】
導光板５２は光源５１側に光入射面５２ａを有するとともに、光出射面５２ｒの当該光入射面５２ａに隣接する領域に光入射面５２ａに向けて導光板５２の厚みを増加させる態様の傾斜面５２ｂが形成されている。なお、当該傾斜面５２ｂは上記駆動領域６０Ｙの外側に限定されて配置される。また、上記遮光部７５ｂは傾斜面５２ｂを裏面側から見て全て被覆している。
【００３１】
上記傾斜面５２ｂは、導光板５２の光入射面５２ａの厚みを増加させるとともに、光入射面５２ａから入射する光を上記傾斜面５２ｂ以外の平坦な光出射面５２ｓ、５２ｒが設けられている領域に導くために形成されている。これによって、導光板５２の実質的な厚みを低減しつつ、光源５１から放出される光を効率的に導光板５２内に取り込むことができる。本実施形態では、光入射面５２ａの厚みは光源５１の光放出面の厚みとほぼ一致し、光源５１から放出される光の全てを実質的に導光板５２内に取り込むことができるように構成されている。なお、この傾斜面５２ｂは光出射面５２ｓに設けてもよく、光出射面５２ｓと５２ｒの双方に設けてもよい。
【００３２】
図６は電気光学装置２００の光源５１側の外周部を拡大して示す拡大部分断面図、図７は板状部材７５の概略斜視図である。板状部材７０は図７に示すように全体が一体の板状材（金属素材）で構成され、保持枠７０の支持部７０ｂに固定された被固定部７５ａと、この被固定部７５ａから屈折部分７５ｆを介して延在し、支持部７０ｂから導光板５２側に突出して、上記光出射面５２ｒ（傾斜面５２ｂ）上に張り出す遮光部７５ｂと、支持部７０ｂから屈折して支持部７０ｂの表面から保持枠７０の厚み方向の開放側（表面側）に突出する突出部７５ｃとを有している。
【００３３】
ここで、図６に示すように保持枠７０の支持部７０ｂには上記板状部材７５がインサート成形によって一体に固定されている。このようにインサート成形で保持枠７０に板状部材７５を一体化することで、板状部材７５の固定強度を高めることができるとともに、保持枠７０の剛性を向上させることができ、さらに、組立作業時の取り扱い性を良好にすることができる。板状部材７５の被固定部７５ａは支持部７０ｂの表面に沿って支持部７０ｂの内部に配置されているので、支持部７０ｂに対する取付剛性を確保しつつ保持枠７０の厚みの増大を回避可能となっている。上記のインサート成形による板状部材７５の被固定部７５ａと支持部７０ｂとの固定状態は、複数の光源５１が配列されてなる光入射面５２ａの幅方向の全体にわたって確保されている。
【００３４】
なお、被固定部７５ａに設けられた複数の開口孔７５ｄは支持部７０ｂの固定強度を高めるためのものである。本実施形態では上述のようにインサート成形によって板状部材７５を保持枠７０と固定しているが、本発明はこのような固定方法に限らず、たとえば、被固定部７５ａを支持部７０ｂに対して溶着、接着などにより固定してもよい。また、支持部７０ｂの表面上に上記開口孔７５ｄに対応するボスを形成しておき、当該ボスを開口孔７５ｄに挿通させた状態で溶着カシメを行うことによって被固定部７５ａを支持部７０ｂの表面上に固定してもよい。
【００３５】
また、遮光部７５ｂは被固定部７５ａに対し屈折部分７５ｆを介して接続されているので、遮光部７５ｂの支持強度や支持部７０ｂの剛性が向上する。この屈折部分７５ｆは図示例の場合、屈折箇所を２箇所有し、これによって形成されたクランク状の断面構造で、遮光部７５ｂを被固定部７５ａよりも光出射面５２ｒ側に接近させている。このため、被固定部７５ａの支持部７０ｂに対する固定力を高めることができると同時に、光出射面５２ｒとの間隔を低減して斜めに出射する光をも確実に遮光できるなど、遮光性能を向上させることが可能になっている。ただし、単に板状部材７５や保持枠７０の剛性を高める上では屈折部分７５ｆの屈折箇所は１箇所でも構わない。
【００３６】
さらに、遮光部７５ｂは傾斜面５２ｂに沿って、すなわち、傾斜面５２ｂと平行に張り出している。これによって、遮光性能をさらに高めることができる。なお、本実施形態の場合、遮光部５２ｂの先端７５ｅは上記傾斜面５２ｂの終端縁とほぼ一致した位置に配置されている。これは、通常、傾斜面５２ｂが照明範囲より外側に限定して形成されていると共に、当該傾斜面５２ｂから本来の照明光以外の光が出射しやすくなっているからである。
【００３７】
さらに、突出部７５ｃは被固定部７５ａから屈折して保持枠７０の厚み方向の開放側（表面側）に突出し、途中（光源５１を押圧する部分）で外縁側（図示右側）に屈曲（屈折若しくは湾曲）することで、先端部分が外側へ開いた構造となっている。先端部分の端縁は外側へ折り返した構造とされ、これによって先端部分の端縁面がなめらかな凸状の湾曲面となっている。
【００３８】
組立作業時において、配線基板６０Ｄ上に実装された光源５１は、保持枠７０の厚み方向の開放側（表面側）から導光板５２と板状部材７５の間に挿入される。このとき、光源５１を押し込むと、光源５１の後部（図示右側部分）が板状部材７５の外側へ開いた先端部分に当接して突出部７５ｃを外側へ弾性変形させるので、光源５１が導光板５２と板状部材７５の突出部７５ｂとの間に嵌入される。したがって、光源５１は板状部材７５の弾性力によって導光板５２側へ付勢され、その結果、図示例では光源５１が導光板５２の光入射面５２ａに突き当てられた状態（密接した状態）とされ、正確に位置決めされる。なお、本発明においては光源５１が導光板５２に直接密接した状態となっているが、これとは異なり、光源５１と導光板５２の間に間隙を設けるために、光源５１が保持枠７０の一部などに設けられた図示しない規制部により規制された状態とされていてもよい。この状態でも、光源５１は板状部材７５の弾性力で導光板５２側に付勢されることで当該規制部に対して当接した状態に位置決めされるので、光源５１と導光板５２の位置関係のばらつきが低減される効果は変わらない。また、光源５１が弾性支持されることで、装置全体の耐衝撃性も向上する。
【００３９】
本実施形態では、板状部材７５を光源５１の厚み方向の光出射面５２ｒ側に配置される保持枠７０の支持部７０ｂに固定し、板状部材７５の遮光部７５ｂが支持部７０ｂに固定された被固定部７５ａから光出射面５２ｒ上に張り出すように構成することで、従来のように反射シートや放熱板を導光板や光源に接着する構造に比べると、遮光範囲を高精度に設定できるとともに、組立作業も容易に行うことができる。また、金属素材よりなる遮光部７５ｂにおいては、その厚みを０．０５〜０．１ｍｍ程度にまで薄くすることができるため、保持枠７０の一部の樹脂等で遮光部を形成する場合に比べて厚みを大幅に低減でき、したがって、照明装置の薄型化を図ることができる。また、遮光部７５ｂは金属素材よりなるので、遮光した光を導光板５２内に戻すために反射する機能をも有する。
【００４０】
また、板状部材７５の被固定部７５ａと遮光部７５ｂの間に屈折部分７５ｆが形成されているため、遮光部７５ｂの支持強度を高めることができることから、遮光部７５ｂの位置精度をさらに向上させることができる。さらに、板状部材７５自体の剛性が高まることで、これが固定されてなる保持枠７０の支持部７０ｂの剛性を高めることもできる。特に、板状部材７５は光入射面５２ａの幅方向に延長した形状を有するとともに、その被固定部７５ａが幅方向の全長にわたり支持部７０ｂに固定されているため、支持部７０ｂの幅方向の剛性を向上させることができる。本実施形態では、支持部７０ｂ上に配線基板６０Ｄが支持されているため、支持部７０ｂの剛性向上は配線基板６０Ｄ上に実装された複数の光源５１の位置精度を向上させることにつながるので、照明装置の照度の再現性及びその均一性を高める効果をも奏する。
【００４１】
一方、板状部材７５に、支持部７０ｂから厚み方向の開放側へと突出し、外側に開いた先端部分を有する突出部７５ｃを設けることで、保持枠７０の厚み方向の開放側から光源５１を受け入れ可能となるので、組立作業がきわめて容易になる。さらに、同様の理由により光源５１が配線基板６０Ｄ上に実装されている場合でも、支障なく光源５１を挿入できる。
【００４２】
また、上記開口部７０ｃを設けることにより、当該開口部７０ｃを通して保持枠７０の裏側から斜め（図示矢印方向）に光源５１の後部を視認できるので、組立状態において光源５１の装着状態の確認を行うことも可能である。
【００４３】
さらに、本実施形態では、光源５１が実装されてなる配線基板６０Ｄを光源５１の表側に配置し、当該配線基板６０Ｄの一部が光出射面５２ｓ上に張り出すように構成されている。したがって、当該配線基板６０Ｄの張り出し部分を上記遮光部７５ｂと同様の遮光部として用いることも可能である。この場合に、遮光性を高めるために、或いは、反射特性をもたせるために、金属膜等の遮光層６０Ｄｓを形成することが好ましい。
【００４４】
上記実施形態では、支持部７０ｂを光源５１の裏面側に配置し、被固定部７５ａが支持部７０ｂに固定されてなる板状部材７５の遮光部７５ｂを光出射面５２ｒ上に張り出すように形成しているが、上記とは逆に、支持部７０ｂを光源５１の表側に配置し、遮光部７５ｂを光出射面５２ｓ上に張り出すように構成してもよい。
【００４５】
なお、上記板状部材７５は被固定部７５ａが支持部７０ｂの内部にのみ配置されているが、被固定部７５ａを支持部７０ｂだけでなく、保持枠７０のその他の枠部分の内部にも延在させ、たとえば、被固定部７５ａが導光板５２を取り巻く部分全体の内部に配置され、全体として枠状に構成してもよい。これによって保持枠７０全体の剛性をさらに高めることができ、光源５１、導光板５２、さらには電気光学パネル６０Ａ，６０Ｂの間の位置決め精度を向上させることができる。
【００４６】
［電子機器］
最後に、図８を参照して上記電気光学装置２００を搭載した電子機器の構成について説明する。図８は、電子機器内に搭載された表示制御回路と電気光学装置２００との関係を示す概略構成図である。ここで、電子機器としては、たとえば、モニタ装置、テレビジョン装置、電子時計、携帯電話機、携帯型情報端末などが挙げられ、特に、電気光学装置を表示体として搭載してなる各種の電子機器が例示される。
【００４７】
図８に示す電子機器は、表示情報出力源２９１と、表示情報処理回路２９２と、電源回路２９３と、タイミングジェネレータ２９４と、照明体５０への電力供給を行う光源制御回路２９５とを含む表示制御回路２９０を有する。この表示制御回路２９０は本発明の上記の制御手段に相当する。また、電気光学装置２００には、上述の構成を有する液晶表示パネルである電気光学パネル組立体６０と、この電気光学パネル組立体６０を駆動する駆動回路６８と、電気光学パネル組立体６０を照明するためのバックライトを構成する照明体５０とが設けられている。この駆動回路６８は、上記のように電気光学パネル組立体６０に直接実装されている電子部品で構成されるが、上記のような態様の他に、パネルの基板表面上に形成された回路パターン、或いは、パネルに導電接続された回路基板上に実装された半導体ＩＣチップ若しくは回路パターンなどによっても構成することができる。
【００４８】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００４９】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路６８へ供給する。駆動回路６８は、走査線駆動回路、信号線駆動回路及び検査回路を含む。また、電源回路２９３は、上述の各構成要素にそれぞれ所定の電圧を供給する。
【００５０】
光源制御回路２９５は、電源回路２９３から供給される電圧に基づいて照明体５０の光源５１に電力を供給し、所定の制御信号に基づいて光源の点灯の有無及びその輝度等を制御するようになっている。
【００５１】
尚、本発明は、上述の図示例にのみ限定されるものではなく、本発明の要旨を逸脱しない範囲内において種々変更を加え得ることは勿論である。例えば、上記の実施形態においては、液晶表示パネルを備えた液晶表示装置について説明したが、本発明は、液晶表示装置に限らず、有機エレクトロルミネッセンス表示装置や電気泳動表示装置などの他の電気光学装置であっても構わない。
【図面の簡単な説明】
【００５２】
【図１】実施形態の電気光学装置の概略斜視図。
【図２】実施形態の電気光学装置の分解斜視図。
【図３】図１のIII−III線に沿った断面を示す拡大部分縦断面図。
【図４】第１電気光学パネルと保持枠の平面形状を示す平面説明図。
【図５】第２電気光学パネルと保持枠の平面形状を示す平面説明図。
【図６】電気光学装置の外周部の拡大部分縦断面図。
【図７】弾性部材の概略斜視図。
【図８】電子機器の内部構成を示す概略構成図。
【符号の説明】
【００５３】
２００…電気光学装置、５０…照明体、５１…光源、５２…導光板、５４…光学シート、６０…電気光学パネル組立体、６１Ａ，６２Ａ、６１Ｂ，６２Ｂ…基板、６５Ａ，６５Ｂ…遮光層、６６Ａ，６７Ａ、６６Ｂ，６７Ｂ…偏光板、６８…駆動回路、７０…保持枠、７０ａ…照明用開口部、７０ｂ…支持部、７０ｃ…開口部、７５…板状部材、７５ａ…被固定部、７５ｂ…遮光部、７５ｃ…突出部、８０…遮光性両面接着テープ、６０Ａ…第１電気光学パネル、６０Ｂ…第２電気光学パネル、６０Ｃ、６０Ｄ…配線基板
【図１】
2008234963.tif 000003
【図２】
2008234963.tif 000004
【図３】
2008234963.tif 000005
【図４】
2008234963.tif 000006
【図５】
2008234963.tif 000007
【図６】
2008234963.tif 000008
【図７】
2008234963.tif 000009
【図８】
2008234963.tif 000010